(57)【要約】【課題】ベルトにピンホール（止め孔）を施す必要がなく、無段階に調節が可能な体裁に優れたフリーサイズ仕様のバックル付きベルトを提供すること。【解決手段】バックル１１には、ベルト１の各端部をそれぞれ挿通させるために、一方から他方に向かって順に第１ないし第６スリットＳ１〜Ｓ６からなる６つのスリットが隣接して形成されている。ベルトの一端部１ａは、バックルの背面側から第４スリットに挿入されて、バックルの前面側に通され、第３スリットに挿入されて背面側に通されると共に、第２スリットに挿入されて前面側で折り返され、さらに第５スリットに挿入されて背面側に通されることで前記バックルに締結される。ベルトの他端部１ｂは、バックルの背面側から第１スリットに挿入されて、バックルの前面側に通され、第６スリットに挿入されてバックルの背面側に通されることでバックルに締結される。【選択図】図１
0003212697.tif 000002
【実用新案登録請求の範囲】
【請求項１】
長尺状にして偏平状に形成されたベルトと、中央部においてループを形成した前記ベルトの一端部および他端部をそれぞれ締結するバックルとを備えたバックル付きベルトであって、
前記バックルには、前記ベルトの各端部をそれぞれ挿通させるために、一方から他方に向かって順に第１スリットないし第６スリットからなる６つのスリットが隣接して形成されており、
前記ベルトの一端部は、前記ループ側に面したバックルの背面側から第４スリットに挿入されて、バックルの前面側に通され、第３スリットに挿入されて前記背面側に通されると共に、第２スリットに挿入されて前記前面側で折り返され、さらに第５スリットに挿入されて前記背面側に通されることで前記バックルに締結され、
前記ベルトの他端部は、バックルの前記背面側から第１スリットに挿入されて、バックルの前面側に通され、前記ベルトの一端部における折り返された前面に重ねられると共に、第６スリットに挿入されてバックルの背面側に通されることで、前記バックルに締結されたことを特徴とするバックル付きベルト。
【請求項２】
前記ベルトの他端部が挿通される前記バックルの第１スリットおよび第６スリットの一部には、前記ベルトに接してベルトのすべり止めとして機能する隅角部が形成されていることを特徴とする請求項１に記載のバックル付きベルト。
【請求項３】
前記ループを形成したベルトの一部と共に、前記ベルトの一端部および他端部を重ね合わせて結束するベルト結束体が、さらに備えられていることを特徴とする請求項１または請求項２に記載のバックル付きベルト。
【考案の詳細な説明】
【技術分野】
【０００１】
この考案は、ベルトにピンホール（止め孔）を施す必要のないベルト長がフリーサイズ仕様のバックル付きベルトの改良に関する。
【背景技術】
【０００２】
長尺状に成形されたレザー製や布製のベルトの一端部にバックルを取り付けたバックル付きベルトについては、従来より多数の提案がなされ、実用化されている。
これらのバックル付きベルトの代表的な例として、一端部にバックルを取り付けたベルトの他端部付近に、長手方向に沿って複数のピンホール（止め孔）が施され、バックルに配置された係止ピンを、前記ピンホールの一つに挿入することで、ベルトの利用長さを調整可能にしたものが知られている。
この構成のバックル付きベルトによると、利用長さ（固定位置）がベルトに施されたピンホールの位置に依存し、厳密なベルトの長さ調整ができないという課題がある。
【０００３】
そこで、バックルによりベルトの他端部を任意位置で係止することができるバックル付きベルトが提案されており、その一例としてバックルに偏心回転する刃付きローラを備えたものが知られている。
このバックル付きベルトによると、ベルトの他端部をバックルに通すことで、ベルトの裏面において刃付きローラが偏心回転し、これによりベルトを噛み食わえて係止締結するようになされる。したがって、これによるとベルトの利用長さを無段階に調節することができる。
【０００４】
ところで、前記した従来のバックル付きベルトによると、ベルトの最初の利用にあたっては、利用者のウエストサイズに合わせるベルトの長さ調節を行なう必要がある。この長さ調節にあたっては、バックル側のベルトの余剰分をカッターナイフなどにより切断する加工が必要となる。そして、ベルトの余剰分をカットした後に、バックル側に配置された例えば山切刃を有するクランプレバーを利用して、カットしたベルトの端部をバックルに連結させる操作が必要となる。
【０００５】
一方、利用者のウエストサイズに合わせるベルトの長さ調節を施す必要のないフリーサイズのバックル付きベルトも提案されている。
例えば特許文献１には、バックルにベルトを通すことができる複数のスリットを形成し、そのうちの２つのスリットを利用して、ベルトの一端部を巻装縫着することにより、ベルトをバックルに結合している。そして、人体のウエストを周回したベルトの他端部は、バックルに形成された他の２つのスリットを利用してバックルに締結させて、ベルトの他端部（余剰部）は、ベルトを縫着した部分の内側に重ね合わせるようにして利用される。
【先行技術文献】
【特許文献】
【０００６】
【特許文献１】特開２００４−１０５４５６号公報
【考案の概要】
【考案が解決しようとする課題】
【０００７】
ところで、特許文献１に開示された長さがフリーサイズ仕様のバックル付きベルトは、例えば建築現場などの高所で作業する際に、墜落を防止するために使用する安全帯として用いることを目的に提案されている。したがって、そのバックルにはバックル本体を挟むようにして、緩み止めとして作用する締着上板と締着下板がリベットなどにより連結されて、バックル本体に対してスライド可能となるように取り付けた構成が採用されている。
【０００８】
したがって、特許文献１に開示されたバックル付きベルトによると、バックルに対してベルトの一端部を巻装縫着する必要があること。また、バックル本体に対して前記した緩み止めとして作用する締着上板と締着下板を、リベットを介してスライド可能に取り付ける必要があるなど、必然的に構成が複雑であり、したがってコストの高騰は免れないものとなる。
【０００９】
そこで、この考案が解決しようとする主要な課題は、ベルトにピンホールなどを施す必要がなく、無段階に調節が可能であり、またベルトの両端部は特に加工を施す必要もなく、ベルト挿通用の複数のスリットを施した単純な構成のバックルを利用することにより、体裁に優れたフリーサイズ仕様のバックル付きベルトを提供しようとするものである。
【課題を解決するための手段】
【００１０】
前記した課題を解決するためになされたこの考案に係るバックル付きベルトは、長尺状にして偏平状に形成されたベルトと、中央部においてループを形成した前記ベルトの一端部および他端部をそれぞれ締結するバックルとを備えたバックル付きベルトであって、前記バックルには、前記ベルトの各端部をそれぞれ挿通させるために、一方から他方に向かって第１スリットないし第６スリットからなる６つのスリットが順に隣接して形成されており、前記ベルトの一端部は、前記ループ側に面したバックルの背面側から第４スリットに挿入されて、バックルの前面側に通され、第３スリットに挿入されて前記背面側に通されると共に、第２スリットに挿入されて前記前面側で折り返され、さらに第５スリットに挿入されて前記背面側に通されることで前記バックルに締結され、前記ベルトの他端部は、バックルの前記背面側から第１スリットに挿入されて、バックルの前面側に通され、前記ベルトの一端部における折り返された前面に重ねられると共に、第６スリットに挿入されてバックルの背面側に通されることで、前記バックルに締結されたことを特徴とする。
【００１１】
この場合、前記ベルトの他端部が挿通される前記バックルの第１スリットおよび第６スリットの一部には、前記ベルトに接してベルトのすべり止めとして機能する隅角部が形成されていることが望ましい。
また好ましくは、前記ループを形成したベルトの一部と共に、前記ベルトの一端部および他端部を重ね合わせて結束するベルト結束体がさらに備えられる。
【考案の効果】
【００１２】
前記したバックル付きベルトによると、ベルトの一端部はバックルの第２〜第５スリットを利用してバックルに締結され、またベルトの他端部はバックルの第１と第６スリットを利用してバックルに締結される。
したがって、ベルトにピンホール（止め孔）などを施す必要がなく、またループの長さを無段階に調節が可能なバックル付きベルトを提供することができる。さらに、ベルトの両端部はバックルに取り付けるための特別な加工を施す必要はなく、バックルを前面から見た場合、中央部はベルトによって覆われてバックルの周縁部を額縁状に見ることができる体裁に優れたフリーサイズ仕様のバックル付きベルトを提供することができる。
【図面の簡単な説明】
【００１３】
【図１】この考案に係るバックル付きベルトについてバックル部分を水平方向に切断した断面図で示した平面図である。
【図２】バックルの単体を前面側から見た正面図である。
【図３】図１に示す第１スリット部分の拡大図であり、（ａ）はベルトの端部をスリットに通した状態を示し、（ｂ）はスリットにおいてベルトを締結した状態を示す。
【図４】バックル付きベルトをバックルの前面側から見た斜視図である。
【考案を実施するための形態】
【００１４】
この考案に係るバックル付きベルトについて、図に示す実施の形態に基づいて説明する。このバックル付きベルトは、例えばレザーを素材として長尺状にして偏平状になされたベルト１と、ループを形成した前記ベルト１の一端部および他端部をそれぞれ締結する例えば金属素材により成形されたバックル１１との組み合わせにより構成される。
なお、図１に示すバックル１１は、説明の便宜上、ベルト１のループ部１Ｌに比較して故意に拡大して示している。
【００１５】
前記バックル１１は、図１および図２に示すように、横長の矩形状に構成されており、長手方向の一方から他方に向かって、順に第１スリット〜第６スリットＳ１，Ｓ２，Ｓ３，Ｓ４，Ｓ５，Ｓ６が隣接した状態で形成されている。
すなわち、バックル１１は、左右の外枠１１Ｌ，１１Ｒと、上下の外枠１１Ｕ，１１Ｄの間に連結された第１から第５の柱体Ｐ１〜Ｐ５とにより構成されて、前記スリットＳ１〜Ｓ６が形成されている。
【００１６】
そして、図１に示されているように、前記柱体Ｐ１〜Ｐ５のうち、第１と第５の柱体Ｐ１，Ｐ５は、角柱状に形成され、これらの間の柱体Ｐ２〜Ｐ４は、円柱状に形成されている。
また、第１と第５の柱体Ｐ１，Ｐ５の外側に位置するバックル１１の左右の外枠１１Ｌ，１１Ｒはそれぞれ角柱状に形成されている。
【００１７】
これらの各スリットＳ１〜Ｓ６には、図１に示されるようにベルト１の一端部１ａおよび他端部１ｂが挿入されて、それぞれ締結されるようになされる。
またベルト１の中央部は前記したとおり、ループ部１Ｌを構成しており、このループ部１Ｌが、周知のとおり利用者のウエスト部分に装着されることになる。
【００１８】
前記ベルトの一端部１ａは、前記ループ部１Ｌ側に面したバックル１１の背面側から第４スリットＳ４に挿入されて、バックル１１の前面側に通される。そして、第３スリットＳ３に挿入されて前記背面側に通されると共に、第２スリットＳ２に挿入されてバックル１１の前面側で折り返され、ベルトの折り返し部１ｃが形成される。さらにベルトの一端部１ａは、第５スリットＳ５に挿入されてバックル１１の背面側に通され、これにより前記一端部１ａはバックル１１に締結される。
【００１９】
また、前記ベルトの他端部１ｂは、バックル１１の背面側から第１スリットＳ１に挿入されて、バックルの前面側に通され、前記ベルトの折り返し部１ｃの前面に重ねられると共に、第６スリットＳ６に挿入されてバックルの背面側に通され、これにより前記他端部１ｂはバックル１１に締結される。
【００２０】
図３は、図１に示すバックル１１の第１スリットＳ１部分を拡大して示したものである。図３（ａ）および図３（ｂ）に示すように、第１スリットＳ１は、角柱状の柱体Ｐ１と、バックルの角柱状の外枠１１Ｌとの間に位置する。
図３（ａ）は、バックル１１の第１スリットＳ１にベルト１の端部１ｂを通した状態を示しており、この状態においては、バックル１１の面に対してベルト１を直交する方向に円滑に通すことができる。
【００２１】
図３（ｂ）は、ベルトの端部１ｂをさらに第６スリットＳ６に通した場合（図１参照）におけるベルト１の態様を示しており、この場合には、ベルト１が保有するある程度の堅さにより、その表面はバックルの背面において外枠１１Ｌに接し、ベルト１の裏面はバックルの前面において第１の柱体Ｐ１に接する。
【００２２】
ここで、ベルト１の表面が接するバックルの外枠１１Ｌ、およびベルト１の裏面が接する第１柱体Ｐ１には、鋭角状になされた隅角部によるベルトのすべり止め部１１ａが形成されている。
また、図３に示すような拡大図面は省略するが、ベルト１の表面が接する第６スリットＳ６の外枠１１Ｒ、およびベルト１の裏面が接する第５柱体Ｐ５にも、同様に鋭角状になされた隅角部によるベルトのすべり止め部が形成されている。
したがって、ベルト１を締めた状態においては、人体の腹圧が加わることにより、ベルト１の前記他端部１ｂをバックルに対して確実に締結することができる。
【００２３】
一方、ベルト１の前記一端部１ａにおいては、先に説明したとおり、バックルの第２柱体Ｐ２を巻回するようにされたベルトの折り返し部１ｃが、ベルトの前記他端部１ｂによって押えられるため、ベルト１の一端部１ａにおいても、バックルに対して確実に締結することができる。
【００２４】
なお、前記したベルト１の一端部１ａおよび他端部１ｂは、バックル１１に締結されて重ね合わされた状態において、ループを形成したベルト１の一部と共に、図１に鎖線で示したように、ベルト結束体１５により結束させることが望ましい。このベルト結束体１５は、例えば前記ベルト１と同じ素材（レザー）を用いて、若干幅広いリング状に縫い合わせるなどして形成することができる。
【００２５】
図４は、この考案に係るバックル付きベルトを、バックルの前面側から見た状態をイメージとして示した斜視図である。
図４に示すように、バックル１１を前面から見た場合、バックルの中央部はベルト１によって覆われ、バックル１１の周縁部を額縁状に見ることができる。そしてバックル１１に隣接して、ベルト結束体１５が位置し、余剰分のベルトの両端部を、ループを形成するベルトの一部と共に、重ね合わせて結束することができる。
【００２６】
なお、図４に示すように前記ベルト結束体１５は、化粧クサリなどによる連結部材１７を利用して、バックル１１の一部に連結しておくことが望ましい。これにより、前記ベルト結束体１５は、ある程度以上にずれ動くのを阻止され、余剰分のベルトの両端部の結束が、不用意に外れるのを防止させることができる。
【符号の説明】
【００２７】
１      ベルト（レザーベルト）
１Ｌ    ループ部
１ａ    ベルトの一端部
１ｂ    ベルトの他端部
１ｃ    ベルトの折り返し部
１１    バックル
１１ａ  すべり止め部
１１Ｕ  バックルの上枠
１１Ｄ  バックルの下枠
１１Ｌ  バックルの左枠
１１Ｒ  バックルの右枠
１５    ベルト結束体
１７    連結部材
Ｐ１〜Ｐ５  柱体
Ｓ１〜Ｓ６  スリット
【図１】
0003212697.tif 000003
【図２】
0003212697.tif 000004
【図３】
0003212697.tif 000005
【図４】
0003212697.tif 000006